(57)【特許請求の範囲】
【請求項１】
接続対象物から電力を取り出す接点構造を備えた電源収納室であって、
前記接続対象物の電極と接触する接点部を該電極に付勢する弾性と導電性とを有する接点部材を備え、該接点部材は所定の変形領域で変形し、その変形量に応じて変化する力量で前記接触部を前記電極に付勢するものであり、
前記接点部材の一方側は前記電源収納室の壁面に固定され、導電性の電気取出部材と接続された固定端子、他方側は前記接点部を備えた可動端子であり、
前記接点部材の前記可動端子と前記固定端子とに半田付けにより接続された導電性のバイパス導電部材を備え、
前記電源収納室における前記接点部材の付勢方向と平行な壁面に、前記バイパス導電部材を引き出す引き出し口が形成されてなり、
前記引き出し口は、前記接点部材が最も屈曲した状態から最大に伸張した状態においても、前記バイパス導電部材が移動が可能な長さに形成されていること
を特徴とする電源収納室。
【請求項２】
前記バイパス導電部材は、前記接点部材の前記可動端子側の先端付近であって、前記接続対象物との接続位置近傍の位置で当該接点部材に接続されていることを特徴とする請求項１に記載の電源収納室。
【請求項３】
前記バイパス導電部材は、前記接点部材の前記固定端子側の先端付近であって、前記電気取出部材との接続位置近傍の位置で当該接点部材に接続されていることを特徴とする請求項１または２に記載の電源収納室。
【請求項４】
前記接続対象物は、電池であることを特徴とする請求項１から請求項３のいずれかに記載の電源収納室。
【請求項５】
前記接続対象物は、電池型ＡＣアダプター端末であることを特徴とする請求項１から請求項３のいずれかに記載の電源収納室。
【請求項６】
前記接点部材は、導電性のコイルバネであることを特徴とする請求項１から請求項５のいずれかに記載の電源収納室。
【請求項７】
前記電源収納室に収納されている電池または電池型ＡＣアダプター端末から供給された電力で動作する装置において、当該電源収納室が、前記請求項１から請求項６のいずれかに記載の電源収納室であることを特徴とする装置。
【請求項８】
前記電源収納室に収納されている電池または電池型ＡＣアダプター端末から供給された電力で動作する画像入力装置において、当該電源収納室が、前記請求項１から請求項６のいずれかに記載の電源収納室であることを特徴とする画像入力装置。
【発明の詳細な説明】
【技術分野】
【０００１】
本発明は、電源収納室及び当該電源収納室を有する装置に関し、詳細には、接触抵抗が低くかつ安定して電気接触を行う接点構造を備えた電源収納室及び当該電源収納室を有する装置に関する。
【背景技術】
【０００２】
近時、電池で動作が駆動される装置が一般的になっている。具体的には、ＣＤプレーヤーやラジオなどのポータブル機器，リモコン送信機，携帯型端末装置，カメラ等である。このような機器においては、一般的に、機器本体に設けた電池収納室内に電池を着脱可能に収納している。この電池収納室内には、収納する電池を安定して保持するとともに、電池の電極方向に配設された接点端子と、当該接点端子方向に電池を付勢する弾性接点部材と、が配設されており、収納電池を弾性接点部材で接点端子方向に付勢している。そして、このような機器に設けられた電池収納構造においては、電池の電圧を正確にかつ安定して機器に供給する電池収納構造が要望されている。
【０００３】
また、上記した装置の中には、電池と略同じ形状と供給電圧を持つＡＣアダプター端末を、電池の代わりに、電池収納室に装着することで、家庭用コンセントからの電力で駆動される装置もある。
【０００４】
そして、従来、カメラ本体に設けられた電池収納室と、この電池収納室に収納可能に設けられた電池マガジンと、この電池マガジンの内部に並列的に形成された複数の電池装填部と、これらの電池装填部に対し極性を逆にして交互に装填される電池のうち、隣接する一組の電池の相互接続されるべきプラス側電極とマイナス側電極との間を短絡するための電池間短絡片と、この電池間短絡片を前記一組の電池のプラス側電極およびマイナス側電極から遠ざかる方向へ偏倚させる偏倚スプリングと、前記電池マガジンが前記電池収納室内に収納されたとき、前記電池間短絡片を前記偏倚スプリングの偏倚力に抗して前記一組の電池のプラス側電極およびマイナス側電極に対して圧接させる圧接スプリングと、を備えたカメラ電池収納装置が提案されている（特許文献１参照）。
【０００５】
また、従来、第１の乾電池の正極と接触する正極接点部と、第２の電池の負極と接触する負極接点部とを有し、第１の乾電池の負極と第２の電池の正極とを直接接触させて、これら２個の乾電池を直列接続で直線状に保持する乾電池ホルダにおいて、前記正極接点部を、前記乾電池の正極の凸状部が入り込む穴を有する絶縁体とこの穴の底部に設けられた、前記正極と接触する正極接片とから構成し、また、前記負極接点部を、中心部に設けた少なくとも前記乾電池の正極の凸状部の径よりも大きい径の絶縁体と、この絶縁体の外側に設けられた、前記負極の外縁部近傍に接触する負極接片から構成し、これら正極接点部と負極接点部の内の少なくともいずれか一方を、前記正極か前記負極に押しつける方向に移動可能に付勢した乾電池ホルダが提案されている（特許文献２参照）。
【０００６】
すなわち、これらの従来技術は、バネ圧力を生成するコイルスプリングと、内部抵抗を軽減する接点部材を備えている。
【０００７】
コイルスプリングを用いる場合、一般的に、図６に示すように、電池収納室２００の一端側の壁面にコイルスプリング２０１の一端部を固定し、コイルスプリング２０１の他端部で電池２０２を他方側に付勢する。そして、コイルスプリング２０１の電池収納室２００側の端部を半田２０３でリード線２０４に接続している。
【０００８】
【特許文献１】特開２００１−３０５６２４号公報
【特許文献２】特開２０００−８２４５０号公報
【発明の開示】
【発明が解決しようとする課題】
【０００９】
しかしながら、このような従来技術にあっては、安定した接触圧力を確保して接触抵抗を低減し、安定して電池等の接続対象物本来の電圧を供給する上で、改良の必要があった。
【００１０】
すなわち、上記従来技術は、バネ圧力を生成するコイルスプリングだけでは、電池と電池接点部材の接触個所から電池接点部材のリード線引き出し個所またはプリント基板との半田付け個所までの距離が長くなって、抵抗値が大きくなり、電池本来の電圧よりも極端に低い電圧しか供給されないという問題があった。
【００１１】
また、スプリングと内部抵抗を軽減する接点部材組み合わせものを備えたものはコストが高くなるという欠点がある。
【００１３】
そこで、請求項１記載の発明は、接続対象物から電力を取り出す接点構造を備えた電源収納室であって、
前記接続対象物の電極と接触する接点部を該電極に付勢する弾性と導電性とを有する接点部材を備え、該接点部材は所定の変形領域で変形し、その変形量に応じて変化する力量で前記接触部を前記電極に付勢するものであり、
前記接点部材の一方側は前記電源収納室の壁面に固定され、導電性の電気取出部材と接続された固定端子、他方側は前記接点部を備えた可動端子であり、
前記接点部材の前記可動端子と前記固定端子とに半田付けにより接続された導電性のバイパス導電部材を備え、
前記電源収納室における前記接点部材の付勢方向と平行な壁面に、前記バイパス導電部材を引き出す引き出し口が形成されてなり、
前記引き出し口は、前記接点部材が最も屈曲した状態から最大に伸張した状態においても、前記バイパス導電部材が移動が可能な長さに形成されていることにより、
接続対象物の近くから電力を取り出して、抵抗値を低減させ、接続対象物本来の電圧に近い電圧を安価に取り出すとともに、接点部材の可動端子側とバイパス導電部材との接続が外れても、接点部材の固定端子側から接続対象物の電力を確実に取り出して、安定性を向上させることができ、
特に、接点部材の伸縮に伴って、接点部材の先端部またはバイパス導電部材が引き出し口内をスムースに移動し、接点部材、バイパス導電部材およびバイパス導電部材と接点部材との接続部に負荷がかかることを防止し、接続対象物の出し入れ時に接触不良が発生することを防止することのできる電源収納室を提供することを目的としている。
請求項２記載の発明は、バイパス導電部材を、接点部材の前記可動端子側の先端付近であって、接続対象物との接続位置近傍の位置で当該接点部材に接続されていることにより、接点部材による無駄な配線抵抗を削減し、導電性の高いバイパス導電部材をより一層有効利用して、接続対象物本来の電圧により一層近い電圧を安価に取り出すとともに、接点部材の可動端子側とバイパス導電部材の接続が外れても、接点部材の固定端子側から接続対象物の電力を確実に取り出して、安定性を向上させることのできる電源収納室を提供することを目的としている。
【００１４】
請求項３記載の発明は、バイパス導電部材を、接点部材の固定端子側の先端付近であって、電気取出部材との接続位置近傍の位置で当該接点部材に接続することにより、接点部材による無駄な配線抵抗を削減し、導電性の高いバイパス導電部材をより一層有効利用して、接続対象物本来の電圧により一層近い電圧を安価に取り出すとともに、接点部材の可動端子側とバイパス導電部材の接続が外れても、接点部材の固定端子側から接続対象物の電力を確実に取り出して、安定性を向上させることのできる電源収納室を提供することを目的としている。
【００１５】
請求項４記載の発明は、接続対象物を、電池とすることにより、電池本来の電圧により一層近い電圧を安価に取り出すとともに、接点部材の可動端子側とバイパス導電部材の接続が外れても、接点部材の固定端子側から電池の電力を確実に取り出して、安定性を向上させることのできる電源収納室を提供することを目的としている。
【００１６】
請求項５記載の発明は、接続対象物を、電池型ＡＣアダプター端末とすることにより、電池型ＡＣアダプター端末本来の電圧により一層近い電圧を安価に取り出すとともに、接点部材の可動端子側とバイパス導電部材の接続が外れても、接点部材の固定端子側から電池型ＡＣアダプターの電力を確実に取り出して、安定性を向上させることのできる電源収納室を提供することを目的としている。
【００１７】
請求項６記載の発明は、接点部材として、導電性のコイルバネを用いることにより、力量の安定したコイルバネで接続対象物を適切に付勢して安定した接触を確保するとともに、コイルバネの欠点である内部抵抗の問題をバイパス導電部材で解消しつつ、バイパス導電部材の接続の外れに対しても適切に対処して、安定した電力を行う電源収納室を提供することを目的としている。
【００１８】
請求項７記載の発明は、電源収納室に収納されている電池または電池型ＡＣアダプター末端から供給された電力で動作する装置において、当該電源収納室を、請求項１から請求項５のいずれかに記載の電源収納室とすることにより、電力の取り出しを安定かつ効率的に行い、電池寿命等を安定して長寿命化することのできる装置を提供することを目的としている。
【００１９】
請求項８記載の発明は、前記電源収納室に収納されている電池または電池型ＡＣアダプター端末から供給された電力で動作するデジタルスチルカメラ等の画像入力装置において、当該電源収納室を、請求項１から請求項５のいずれかに記載の接点構造とすることにより、電力の取り出しを安定かつ効率的に行い、電池寿命等を安定して長寿命化することのできる画像入力装置を提供することを目的としている。
【課題を解決するための手段】
【００２１】
請求項１記載の発明の電源収納室は、
接続対象物から電力を取り出す接点構造を備えた電源収納室であって、
前記接続対象物の電極と接触する接点部を該電極に付勢する弾性と導電性とを有する接点部材を備え、該接点部材は所定の変形領域で変形し、その変形量に応じて変化する力量で前記接触部を前記電極に付勢するものであり、
前記接点部材の一方側は前記電源収納室の壁面に固定され、導電性の電気取出部材と接続された固定端子、他方側は前記接点部を備えた可動端子であり、
前記接点部材の前記可動端子と前記固定端子とに半田付けにより接続された導電性のバイパス導電部材を備え、
前記電源収納室における前記接点部材の付勢方向と平行な壁面に、前記バイパス導電部材を引き出す引き出し口が形成されてなり、
前記引き出し口は、前記接点部材が最も屈曲した状態から最大に伸張した状態においても、前記バイパス導電部材が移動が可能な長さに形成されていることにより、上記目的を達成している。
この場合、例えば、請求項２に記載するように、前記バイパス導電部材は、前記接点部材の前記可動端子側の先端付近であって、前記接続対象物との接続位置近傍の位置で当該接点部材に接続されているものであってもよい。
【００２２】
また、例えば、請求項３に記載するように、前記バイパス導電部材は、前記接点部材の前記固定端子側の先端付近であって、前記電気取出部材との接続位置近傍の位置で当該接点部材に接続されているものであってもよい。
【００２３】
さらに、例えば、請求項４に記載するように、前記接続対象物は、電池であってもよい。
【００２４】
また、例えば、請求項５に記載するように、前記接続対象は、電池型ＡＣアダプター端末であってもよい。
【００２５】
さらに、例えば、請求項６に記載するように、前記接点部材は、導電性のコイルバネであってもよい。
【００２６】
請求項７記載の装置及び請求項８記載の画像入力装置は、電源収納室に収納されている電池または電池型ＡＣアダプター端末から供給された電力で動作し、当該電源収納室が、前記請求項１から請求項６のいずれかに記載の電源収納室であることにより、上記目的を達成している。
【発明の効果】
【００２８】
請求項１記載の発明の電源収納室によれば、
接続対象物から電力を取り出す接点構造を備えた電源収納室であって、
前記接続対象物の電極と接触する接点部を該電極に付勢する弾性と導電性とを有する接点部材を備え、該接点部材は所定の変形領域で変形し、その変形量に応じて変化する力量で前記接触部を前記電極に付勢するものであり、
前記接点部材の一方側は前記電源収納室の壁面に固定され、導電性の電気取出部材と接続された固定端子、他方側は前記接点部を備えた可動端子であり、
前記接点部材の前記可動端子と前記固定端子とに半田付けにより接続された導電性のバイパス導電部材を備え、
前記電源収納室における前記接点部材の付勢方向と平行な壁面に、前記バイパス導電部材を引き出す引き出し口が形成されてなり、
前記引き出し口は、前記接点部材が最も屈曲した状態から最大に伸張した状態においても、前記バイパス導電部材が移動が可能な長さに形成されていることにより、
接続対象物の近くから電力を取り出して、抵抗値を低減させ、接続対象物本来の電圧に近い電圧を安価に取り出すとともに、接点部材の可動端子側とバイパス導電部材との接続が外れても、接点部材の固定端子側から接続対象物の電力を確実に取り出して、安定性を向上させることができ、
特に、接点部材の伸縮に伴って、接点部材の先端部またはバイパス導電部材が引き出し口内をスムースに移動し、接点部材、バイパス導電部材およびバイパス導電部材と接点部材との接続部に負荷がかかることを防止し、接続対象物の出し入れ時に接触不良が発生することを防止することができる。
請求項２記載の発明の電源収納室によれば、バイパス導電部材を、接点部材の可動端子側の先端付近であって、接続対象物との接続位置近傍の位置で当該接点部材に接続しているので、接点部材による無駄な配線抵抗を削減することができ、導電性の高いバイパス導電部材をより一層有効利用して、接続対象物本来の電圧により一層近い電圧を安価に取り出すことができるとともに、接点部材の可動端子側とバイパス導電部材の接続が外れても、接点部材の固定端子側から接続対象物の電力を確実に取り出して、安定性を向上させることができる。
【００２９】
請求項３記載の発明の電源収納室によれば、バイパス導電部材を、接点部材の固定端子側の先端付近であって、電気取出部材との接続位置近傍の位置で当該接点部材に接続するので、接点部材による無駄な配線抵抗を削減することができ、導電性の高いバイパス導電部材をより一層有効利用して、接続対象物本来の電圧により一層近い電圧を安価に取り出すことができるとともに、接点部材の可動端子側とバイパス導電部材の接続が外れても、接点部材の固定端子側から接続対象物の電力を確実に取り出して、安定性を向上させることができる。
【００３０】
請求項４記載の発明の電源収納室によれば、接続対象物を、電池としているので、電池本来の電圧により一層近い電圧を安価に取り出すことができるとともに、接点部材の可動端子側とバイパス導電部材の接続が外れても、接点部材の固定端子側から電池の電力を確実に取り出して、安定性を向上させることができる。
【００３１】
請求項５記載の発明の電源収納室によれば、接続対象物を、電池型ＡＣアダプター端末としているので、電池型ＡＣアダプター端末本来の電圧により一層近い電圧を安価に取り出すことができるとともに、接点部材の可動端子側とバイパス導電部材の接続が外れても、接点部材の固定端子側から電池型ＡＣアダプター端末の電力を確実に取り出して、安定性を向上させることができる。
【００３２】
請求項６記載の発明の電源収納室によれば、接点部材として、導電性のコイルバネを用いているので、力量の安定したコイルバネで接続対象物を適切に付勢して安定した接触を確保することができるとともに、コイルバネの欠点である内部抵抗の問題をバイパス導電部材で解消しつつ、バイパス導電部材の接続の外れに対しても適切に対処して、安定した電力を行うことができる。
【００３３】
請求項７記載の発明の装置によれば、電源収納室に収納されている電池または電池型ＡＣアダプター端末から供給された電力で動作する装置において、当該電源収納室を、請求項１から請求項６のいずれかに記載の電源収納室としているので、電力の取り出しを安定かつ効率的に行うことができ、電池寿命等を安定して長寿命化することができる。
【００３４】
請求項８記載の発明の画像入力装置によれば、電源収納室に収納されている電池または電池型ＡＣアダプター端末から供給された電力で動作するデジタルスチルカメラ等の画像入力装置において、当該電源収納室を、請求項１から請求項６のいずれかに記載の電源収納室としているので、電力の取り出しを安定かつ効率的に行うことができ、電池寿命等を安定して長寿命化することができる。
【発明を実施するための最良の形態】
【００３５】
以下、本発明の好適な実施例を添付図面に基づいて詳細に説明する。なお、以下に述べる実施例は、本発明の好適な実施例であるから、技術的に好ましい種々の限定が付されているが、本発明の範囲は、以下の説明において特に本発明を限定する旨の記載がない限り、これらの態様に限られるものではない。
【実施例１】
【００３６】
図１は、本発明の電源収納室及び当該電源収納室を有する装置の第１の実施の形態を適用した電池接点構造１の要部正面図であり、電池接点構造１は、デジタルスチルカメラ等の画像入力装置の電源収納室等に適用される。
【００３７】
図１において、電池接点構造１は、電源収納室としての電池収納ケース２内に電池（接続対象物）３が着脱可能に収納され、電池収納ケース２内の一端側には、電池３を電池収納ケース２内の他端側に付勢するスプリング４が配設されている。
【００３８】
スプリング（接点部材）４は、その基端側端部（固定端子側端部）が電池収納ケース２の一端側に固定されており、その先端側端部（可動端子側端部）は、電池３との接触位置から電池収納ケース２の側面方向に延在する状態に形成されていて、当該先端側先端部４ａに、導電部材であるバイパスリード線（バイパス導電部材）５の一端が半田６により接続されている。
【００３９】
そして、電池収納ケース２のスプリング４の配設されている側の側面には、スプリング４の先端側先端部４ａまたはスプリング４に接続されているバイパスリード線５を電池収納ケース２の外部に引き出すための引き出し口（取り出し口）７が形成されており、引き出し口７は、スプリング４の屈伸に伴って移動する方向に所定長さにわたって形成されていて、当該引き出し口７の長さが、少なくともスプリング４が最も屈曲した状態から最大に伸張した状態においてもスプリング４の先端側先端部４ａまたはバイパスリード線５が引き出し口７内を移動可能な長さに形成されている。
【００４０】
スプリング４の基端側には、複数の屈曲部４ｂが設けられており、スプリング４は、当該複数の屈曲部４ｂが電池収納ケース２に係合されることで、その基端部が電池収納ケース２の一端側に固定されている。そして、スプリング４の基端側先端部４ｃは、電池収納ケース２の一端側外壁面に沿って当該電池収納ケース２の上記先端側先端部４ａの突出している面方向に突出し、当該スプリング４の基端側先端部４ｃの先端には、上記バイパスリード線５の他端が半田８により接続されている。
【００４１】
スプリング４の基端側先端部４ｃの当該バイパスリード線５の接続されている先端の近傍には、電源リード線（電気取出部材）９が半田１０により接続されている。
【００４２】
そして、スプリング４は、所定の導電性を有するとともに、その変形量に応じて力量の変化する弾性を有する部材で形成されており、電池３の一端側の端子３ａに接触しつつ、電池３を電池収納ケース２内の他端側に付勢する。この電池収納ケース２内の他端側には、図示しないが、接点部材が配設されており、電池３は、スプリング４により他端側に付勢されることで、他端側の接点部材と電池３の他端側端子が接触する。
【００４３】
次に、本実施の形態の作用を説明する。本実施の形態の電池接点構造１は、電池収納ケース２内に電池収納ケース２に固定されているスプリング４の先端部で、当該電池収納ケース２内に着脱可能に収納された電池３を、当該電池３の一端側の端子３ａに接触しつつ他端側に付勢し、スプリング４は、その先端部が、電池３との接触位置から電池収納ケース２の側面の引き出し口７の方向に延在する状態に形成されていて、当該先端側先端部４ａに、導電部材であるバイパスリード線５の一端が半田６により接続されている。スプリング４は、その基端側の複数の屈曲部４ｂが電池収納ケース２の一端側に係合されることで、その基端部が電池収納ケース２の一端側に固定されている。
【００４４】
そして、スプリング４の基端側先端部４ｃは、電池収納ケース２の下側外壁面に沿って当該電池収納ケース２の上記先端側先端部４ａの突出している面方向に延在し、当該スプリング４の基端側先端部４ｃの先端には、上記バイパスリード線５の他端が半田８により接続されている。
【００４５】
さらに、スプリング４の基端側先端部４ｃの当該バイパスリード線５の接続されている先端の近傍には、電源リード線９が半田１０により接続されている。
【００４６】
したがって、電池３の端子３ａは、スプリング４の先端側先端部４ａ、バイパスリード線５及びスプリング４の基端側先端部４ｃのバイパスリード線５と電源リード線９との接続位置の間隔を通して、電源リード線９に接続され、電池３の端子３ａと電源リード線９との距離を短くして、抵抗値を小さくし、電池３本来の電圧に近い電圧を電源リード線９を介して安定して供給することができるとともに、簡単な構造で安価なものとすることができる。
【００４７】
また、電池接点構造１は、スプリング４の先端側先端部４ａまたはバイパスリード線５を引き出し口７を通して電池収納ケース２の外部に引き出しているが、この引き出し口７が、少なくともスプリング４が最も屈曲した状態から最大に伸張した状態においてもスプリング４の先端側先端部４ａまたはバイパスリード線５が引き出し口７内を移動可能な長さに形成されている。
【００４８】
したがって、スプリング４の伸縮に伴ってスプリング４の先端側先端部４ａまたはバイパスリード線５が引き出し口７内をスムースに移動し、スプリング４、バイパスリード線５及びバイパスリード線５とスプリング４との接続部である半田６部分に負荷がかかることを防止し、電池３の出し入れ時に接触不良が発生することを防止することができる。
【００４９】
さらに、本実施の形態の電池接点構造１は、バイパスリード線５を、スプリング４の可動端子側の先端付近であって、電池３との接続位置近傍の位置でスプリング４に接続している。
【００５０】
したがって、スプリング４による無駄な配線抵抗を削減することができ、導電性の高いバイパスリード線５をより一層有効利用して、電池３の本来の電圧により一層近い電圧を安価に取り出すことができるとともに、スプリング４の可動端子側とバイパスリード線５の接続が外れても、スプリング４の固定端子側から電池の電力を確実に取り出して、安定性を向上させることができる。
【００５１】
また、本実施の形態の電池接点構造１は、バイパスリード線５を、スプリング４の固定端子側の先端付近であって、電源リード線９との接続位置近傍の位置でスプリング４に接続している。
【００５２】
したがって、スプリング４による無駄な配線抵抗を削減することができ、導電性の高いバイパスリード線５をより一層有効利用して、電池３の本来の電圧により一層近い電圧を安価に取り出すことができるとともに、スプリング４の可動端子側とバイパスリード線５の接続が外れても、スプリング４の固定端子側から電池３の電力を確実に取り出して、安定性を向上させることができる。
【００５３】
さらに、スプリング４の伸縮等に伴って、万が一スプリング４の先端側先端部４ａとバイパスリード線５との接続またはスプリング４の基端側先端部４ｃとバイパスリード線５との接続が遮断されても、電池３は、スプリング４の基端側先端部４ｃに接続されている電源リード線９と半田１０で強固に接続されており、安定して電源を供給することができる。
【実施例２】
【００５４】
図２は、本発明の接点構造及び当該接点構造を有する装置の第２の実施の形態を適用した電池接点構造２０の要部正面図であり、電池接点構造２０は、デジタルスチルカメラ等の画像入力装置の電池収納部等に適用される。
【００５５】
図２において、電池接点構造２０は、電池収納ケース２１内に電池（接続対象物）２２が着脱可能に収納され、電池収納ケース２１内の一端側には、電池２２を電池収納ケース２１内の他端側に付勢するスプリング２３が配設されている。
【００５６】
スプリング（接点部材）２３は、その基端側端部（固定端子側端部）が電池収納ケース２１の一端側に固定されており、その先端側端部（可動端子側端部）は、当該スプリング２３の軸中心部において、電池２２とは反対側に曲げられていて、当該曲げられた屈曲端部２３ａに、導電部材であるバイパスリード線（バイパス導電部材）２４が半田２５により接続されている。
【００５７】
スプリング２３の基端側には、複数の屈曲部２３ｂが設けられており、スプリング２３は、当該複数の屈曲部２３ｂが電池収納ケース２１の一端側に係合されることで、その基端部が電池収納ケース２１の一端側に固定されている。そして、スプリング２３の基端側先端部２３ｃは、電池収納ケース２１の一端側外壁面に沿って当該電池収納ケース２１の側面方向に突出し、当該スプリング２３の基端側先端部２３ｃの先端には、電源リード線２６が半田２７により接続されている。
【００５８】
スプリング２３は、所定の導電性を有するとともに、その変形量に応じて力量の変化する弾性を有する部材で形成されており、電池２２の一端側の端子２２ａに接触しつつ、電池２２を電池収納ケース２１内の他端側に付勢する。この電池収納ケース２１内の他端側には、図示しないが、接点部材が配設されており、電池２２は、スプリング２３により他端側に付勢されることで、他端側の接点部材と電池２２の他端側端子が接触する。
【００５９】
電池収納ケース２１のスプリング２３の配設されている側の端面には、スプリング２３に接続されているバイパスリード線２４を電池収納ケース２１の外部に引き出すための引き出し口（取り出し口）２８が形成されており、引き出し口２８は、スプリング２３の中心軸部分の当該スプリング２３の基端部を支持する電池収納ケース２１に形成されている。
【００６０】
スプリング２３の屈曲端部２３ａに接続されたバイパスリード線２４は、スプリング２３の中心軸を通過して引き出し口２８から電池収納ケース２１外に引き出され、当該引き出し口２８から電池収納ケース２１外に引き出されたバイパスリード線２４は、必要に応じて折り曲げられるが、スプリング２３が最大に伸張した状態で電池収納ケース２１に当接しない長さを有した位置で折り曲げられる。そして、このバイパスリード線２４は、上記スプリング２３の基端側先端部２３ｃであって電源リード線２６の接続されている先端に近い位置に半田２９で接続されている。
【００６１】
次に、本実施の形態の作用を説明する。本実施の形態の電池接点構造２０は、電池収納ケース２１内に電池収納ケース２１の一端側に固定されているスプリング２３の先端部で、当該電池収納ケース２１内に着脱可能に収納された電池２２を、当該電池２２の一端側の端子２２ａに接触しつつ他端側に付勢し、スプリング２３は、当該スプリング２３の軸中心部で、その先端部が電池２２と反対側に屈曲された屈曲端部２３ａが形成されていて、当該スプリング２３の屈曲端部２３ａに、バイパスリード線２４が接続されている。スプリング２３は、その基端側の複数の屈曲部２３ｂが電池収納ケース２１の一端側に係合されることで、その基端部が電池収納ケース２１の一端側に固定されているとともに、電池収納ケース２１の一端側外壁面に沿って当該電池収納ケース２１の側面方向に突出し、当該スプリング２３の基端側先端部２３ｃの先端には、電源リード線２６が半田２７により接続されている。
【００６２】
また、電池収納ケース２１のスプリング２３の配設されている側の端面には、スプリング２３に接続されているバイパスリード線２４を電池収納ケース２１の外部に引き出すための引き出し口２８が形成されており、引き出し口２８は、スプリング２３の中心軸部分の当該スプリング２３の基端部を支持する電池収納ケース２１に形成されている。
【００６３】
上記スプリング２３の屈曲端部２３ａに接続されたバイパスリード線２４は、スプリング２３の中心軸を通過して引き出し口２８から電池収納ケース２１外に引き出され、当該引き出し口２８から電池収納ケース２１外に引き出されたバイパスリード線２４は、必要に応じて折り曲げられるが、スプリング２３が最大に伸張した状態で電池収納ケース２１に当接しない長さを有した位置で折り曲げられていて、スプリング２３の基端側先端部２３ｃであって電源リード線２６の接続されている先端に近い位置に半田２９で接続されている。
【００６４】
したがって、電池２２の端子２２ａは、スプリング２３の先端側先端部２３ａ、バイパスリード線２４及びスプリング２３の基端側先端部２３ｃのバイパスリード線２４と電源リード線２６との接続位置の間隔を通して、電源リード線２６に接続され、電池２２の端子２２ａと電源リード線２６との距離を短くして、抵抗値を小さくし、電池２２本来の電圧に近い電圧を電源リード線２６を介して安定して供給することができるとともに、簡単な構造で安価なものとすることができる。
【００６５】
また、電池接点構造２０は、バイパスリード線２４をスプリング２３の中心軸を通過させて、スプリング２３の中心軸上に位置する電池収納ケース２１に形成された引き出し口２８を通させて電池収納ケース２１の外部に引き出している。
【００６６】
また、このスプリング２３の屈曲端部２３ａに接続され、スプリング２３の中心軸を通過して引き出し口２８から電池収納ケース２１外に引き出されたバイパスリード線２４は、必要に応じて折り曲げられるが、スプリング２３が最大に伸張した状態で電池収納ケース２１に当接しない長さを有した位置で折り曲げられる。
【００６７】
したがって、スプリング２３の伸縮に伴ってバイパスリード線２４が引き出し口２８内をスムースに移動し、バイパスリード線２４やバイパスリード線２４とスプリング２３との接続部である半田２５、２９部分に負荷がかかることを防止することができる。
【００６８】
さらに、電池接点構造２０は、スプリング２３の伸縮等に伴って、万が一スプリング２３の先端側先端部２３ａとスプリング２３の基端側先端部２３ｃとのバイパスリード線２４による接続が遮断されても、電池２２は、スプリング２３の基端側先端部２３ｃに接続されている電源リード線２６と半田２７で強固に接続されており、安定して電源を供給することができる。
【００６９】
そして、上記各実施の形態の電池接点構造１、２０は、上述のように、例えば、デジタルスチルカメラ等の電池接点構造として利用することで、電池寿命が短いといわれるデジタルスチルカメラ等の欠点を大幅に補うことができる。
【実施例３】
【００７０】
図３は、本発明の接点構造及び当該接点構造を有する装置の第３の実施の形態を適用したデジタルスチルカメラ１００の外観図である。また、図４は、図３のデジタルスチルカメラ１００のボディ１０１内に設けられている電池室１１０の構造であり、図５は、図３のデジタルスチルカメラ１００のブロック構成図である。
【００７１】
図３において、デジタルスチルカメラ１００は、そのボディ１０１の正面側に、鏡銅ユニット１０２、リモコン受光部１０３、光学ファインダ１０４、測距ユニット１０５及びストロボ発光部１０６等が設けられており、その上面に、レリーズシャッター１０７及びモードダイアル１０８等が設けられ、さらに、その側面に、ＳＤカード／電池蓋１０９等が設けられている。
【００７２】
デジタルスチルカメラ１００は、そのボディ１０１内に、電池室１１０が形成されており、上記ＳＤカード／電池蓋１０９が、この電池室１１０の外部開口部を閉止して、電池室１１０内に収納されている電池１１１、１１２（図４参照）が脱落するのを防止している。電池室１１０は、２本の電池１１１、１１２を収納する。なお、図示しないが、デジタルスチルカメラ１００のボディ１０１には、電池室１１０に隣接して、ＳＤカード（メモリカード）の収納されるＳＤカード室が形成されており、ＳＤカード／電池蓋１０９が開閉されることで、電池室１１０とＳＤカード室が開閉される。
【００７３】
すなわち、図４において、ＳＤカード／電池蓋１０９は、電池室１１０内方側の面に、切片１０９ａが設けられているとともに、その側面外周に、ボディ１０１に形成されている突起部（図示略）と歯合する溝１０９ｂが形成されている。電池室１１０内には、電池蓋１０９と対向する面であって、電池１１１、１１２に対応する位置に、スプリング１１３、１１４と、スプリング１１３、１１４のＳＤカード／電池蓋１０９側の端部に取り付けられた電池切片１１５、１１６が配設されている。
【００７４】
したがって、ＳＤカード／電池蓋１０９は、デジタルスチルカメラ１００の前面方向に、溝１０９ｂに沿ってスライドさせることで、ボディ１０１から外れて電池室１１０を開き、ボディ１０１内部の電池室１１０に電池１１１、１１２を装着することができ、また、図示しないＳＤカード室が開いて、ＳＤカードの取り出しや収納を行うことができる。また、電池装着後、ＳＤカード／電池蓋１０９を、溝１０９ｂに沿って、デジタルスチルカメラ１００の後方へスライドさせることで、ＳＤカード／電池蓋１０９の溝１０９に合致したボディ１０１の突起部によりボディ１０１に固定させることができる。
【００７５】
電池１１１、１１２が電池室１１０に装着されていると、スプリング１１３、１１４に付勢された電池切片１１５、１１６が、スプリング１１３、１１４の付勢力で電池１１１，１１２に接触するとともに、電池１１１、１１２をＳＤカード／電池蓋１０９の切片１０９ａに押しつけて、電池の接触を行う。
【００７６】
そして、電池切片１１５、１１６は、上記請求項１及び請求項２で説明した接点構造を有している。
【００７７】
そして、デジタルスチルカメラ１００は、図５に示すようにブロック構成されており、デジタルスチルカメラプロセッサ１２０、ＲＡＷ−ＲＧＢ画像データ、ＹＵＶ画像データ及びＪＰＥＧ画像データを記憶するＳＤＲＡＭ（Synchronous Dynamic Random Access Memory）１２１、ＲＡＭ（Random Access Memory）１２２、内蔵メモリ１２３、制御プログラムを記憶するＲＯＭ（Read Only Memory）１２４、ＺＯＯＭ（ズーム）系、ＦＯＵＣＳ（フォーカス）系、絞りユニット及びメカシャッタユニットを有する鏡銅ユニット１０２、鏡銅ユニット１０２に設けられて入射光を光電変換して撮像信号として出力するＣＣＤ（Charge Coupled Device ）１２５、ＣＣＤ１２５からの撮像信号を処理してデジタルスチルカメラプロセッサ１２０に出力するＦ／Ｅ−ＩＣ（Integrated Circuit）１２６、上記ストロボ発光部１０６をデジタルスチルカメラプロセッサ１２０の制御下で駆動するストロボ回路１２７、上記測距ユニット１０５、デジタルスチルカメラプロセッサ１２０の制御下でマイク１２８から取得した外部音声をマイクアンプ（マイクＡＭＰ）１２９で増幅して音声記録回路１３０に記録する音声記録系、デジタルスチルカメラプロセッサ１２０の制御下で音声記録回路１３０に記録されている音声データを音声再生回路１３１で再生してオーディオＡＭＰ１３２で増幅してスピーカー１３３から画成出力する音声再生系、上記電池室１１０内の電池１１１、１１２及びＡＣアダプター１３４の電力が入力される電源回路１３５、電源回路１３５に接続されているＳＵＢ−ＣＰＵ（Central Processing Unit ）１３６、ＬＣＤ（Liquid Crystal Display）ドライバ１３７、サブＬＣＤ１３８、ＡＦＬＥＤ（Light Emitting Diode）１３９、ストロボＬＥＤ１４０、上記リモコン受光部１０３、操作ｋｅｙユニット１４１、ブザー１４２、ＵＳＢコネクタ１４３、シリアルドライバ回路１４４、シリアルドライバ回路１４４に接続されているＲＳ−２３２Ｃコネクタ１４５、ＬＣＤドライバ１４６、ＬＣＤドライバ１４６に駆動されるＬＣＤモニタ１４７、ビデオＡＭＰ１４８、ビデオジャック１４９、上記ＳＤカードとしてのメモリカード１５１が着脱可能に挿入されるＳＤカード室であるメモリカードスロット１５０等を備えている。
【００７８】
上記デジタルスチルカメラプロセッサ１２０は、ＵＳＢコネクタに接続されているＵＳＢブロック１２０ａ、上記シリアルドライバ回路１４４に接続されているシリアルブロック１２０ｂ、ＪＰＥＧ  ＣＯＤＥＣブロック１２０ｃ、ＲＥＳＩＺＥ（リサイズ）ブロック１２０ｄ、上記ＬＣＤドライバ１４６及びビデオＡＭＰ１４８に接続されているＴＶ信号表示ブロック１２０ｅ、上記メモリカードスロット１５０に接続されているメモリカードコントローラブロック１２０ｆ、上記Ｆ／Ｅ−ＩＣ１２６に接続されているＣＣＤ１信号処理ブロック１２０ｇ、ＣＣＤ２信号処理部ロック１２０ｈ、上記Ｆ／Ｅ−ＩＣ１２６、鏡銅ユニット１０２、音声記録系、音声再生系、ストロボ回路１２７、測距ユニット１０５等に接続されているＣＰＵブロック１２０ｉ及びＣＰＵブロック１２０ｉに接続されているＬｏｃａｌ（ローカル）ＳＲＡＭ１２０ｊ等を備えている。
【００７９】
そして、上記構成のデジタルスチルカメラ１００は、電源回路１３５が、ＳＵＢ−ＣＰＵ１３６に接続されており、電源回路１３５は、ＳＵＢ−ＣＰＵ１３６に対してリセット動作を行うリセット回路やデジタルスチルカメラ１００の各部の動作に必要な電力を、電池１１１、１１２またはＡＣアダプター１３４より供給される電力から作成して供給する電圧変換回路等から構成されている。なお、電源回路１３５のリセット回路や電圧変換回路は、一般的な回路であるので、詳細な説明を省略する。また、リセット回路の代わりに、市販されているリセットＩＣを用いても良い。
【００８０】
デジタルスチルカメラ１００は、電池１１１、１１２、または、ＡＣアダプター１３４が装着されると、電池１１１、１１２、または、ＡＣアダプター１３４の電力が、電源回路１３５に供給され、電源回路１３５は、電池１１１、１１２、または、ＡＣアダプター１３４の電力が供給されると、まず、ＳＵＢ−ＣＰＵ１３６に対してリセット動作を行う。
【００８１】
ＳＵＢ−ＣＰＵ１３６は、リセットにより起動し、デジタルスチルカメラプロセッサ１２０を起動し、以後、デジタルスチルカメラプロセッサ１２０が、デジタルスチルカメラ１００全体の制御を行う。
【００８２】
ＳＵＢ−ＣＰＵ１３６は、デジタルスチルカメラプロセッサ１２０のＣＰＵブロック１２０ｉと定期的にシリアル通信を行い、ＣＰＵブロック１２０ｉの指示に従って、電源回路１３５が、デジタルスチルカメラ１００の各部に必要な電力を供給するように制御する。
【００８３】
なお、図５では、電源回路１３５に対して、電池１１１、１１２、または、ＡＣアダプター１３４から異なる配線系統で電力が供給されるように示されているが、ＡＣアダプター１３４を電池室１１０内に収納可能として、電池室１１０からの電源供給の配線としてもよい。すなわち、ＡＣアダプター１３４のデジタルスチルカメラ１００側の端末の形状を電池と略同じ形状とし、また、切片と接続する端子の形状も電池１１１、１１２と同じ端子形状とし、さらに、供給する電圧も電池１１１、１１２と同じ電圧とすることで、ＡＣアダプター１３４を、電池１１１、１１２と同様に電池室１１０に装着して電力を供給するようにしてもよい。
【００８４】
この場合、ＡＣアダプター１３４のデジタルスチルカメラ１００側の端末内部に、家庭用交流電源を電池１１１、１１２と同じ直流電源に変換し、電池１１１、１１２と同じ電圧を供給する電源回路を設け、さらに、デジタルスチルカメラ１００のＳＤカード／電池蓋１０９にＡＣコンセントに接続するコードを通すための穴を設ければよい。
【００８５】
このようなＡＣアダプター１３４を使用すると、デジタルスチルカメラ１００のボディ１０１にＡＣアダプター１３４用の端子を省略することができる。
【００８６】
以上、本発明者によってなされた発明を好適な実施の形態に基づき具体的に説明したが、本発明は上記のものに限定されるものではなく、その要旨を逸脱しない範囲で種々変更可能であることはいうまでもない。
【００８７】
例えば、上記各実施の形態においては、接点部材として、コイルバネであるスプリング４、２３を用いた場合について説明したが、接点部材としては、コイルバネに限るものではなく、例えば、板バネを用いた場合にも、同様に適用することができ、この場合、コイルバネに適用した場合ほどの効果ではないが、内部抵抗低減効果を得ることができる。
【００８８】
さらに、実施例で説明したデジタルスチルカメラ以外にも、フィルムカメラやＣＤプレーヤーやラジオなどのポータブル機器，リモコン送信機，携帯型端末装置等の装置にも、本発明の接点構造を適用することができる。
【００８９】
また、電池に限らず、電池と略同じ形状を持つＡＣアダプター（ＡＣアダプター端末）により電力を供給する場合にも、本発明の接点構造を用いることができる。
【産業上の利用可能性】
【００９０】
接触抵抗が低くかつ安定して電気接触を行う接点構造及び当該接点構造を有する電池やＡＣアダプター端末を電源として駆動されて動作するデジタルスチルカメラ等の画像入力装置や携帯型端末装置等の各種装置に適用することができる。
【図面の簡単な説明】
【００９１】
【図１】本発明の接点構造及び当該接点構造を有する装置の第１の実施の形態を適用した電池接点構造の要部正面図。
【図２】本発明の接点構造及び当該接点構造を有する装置の第２の実施の形態を適用した電池接点構造の要部正面図。
【図３】本発明の接点構造及び当該接点構造を有する装置の第３の実施の形態を適用したデジタルスチルカメラの正面外観図。
【図４】図３のデジタルスチルカメラの電池室の概略構成図。
【図５】図３のデジタルスチルカメラのブロック構成図。
【図６】従来のスプリングを用いた電池収納室の要部正面図。
【符号の説明】
【００９２】
１  電池接点構造
２  電池収納ケース
３  電池
３ａ  端子
４  スプリング
４ａ  先端側先端部
４ｂ  屈曲部
４ｃ  基端側先端部
５  バイパスリード線
６  半田
７  引き出し口
９  電源リード線
１０  半田
２０  電池接点構造
２１  電池収納ケース
２２  電池
２３  スプリング
２３ａ  屈曲端部
２３ｂ  屈曲部
２３ｃ  基端側先端部
２４  バイパスリード線
２５  半田
２６  電源リード線
２７  半田
２８  引き出し口
２９  半田
１００  デジタルスチルカメラ
１０１  ボディ
１０２  鏡銅ユニット
１０３  リモコン受光部
１０４  光学ファインダ
１０５  測距ユニット
１０６  ストロボ発光部
１０７  レリーズシャッター
１０８  モードダイアル
１０９  ＳＤカード／電池蓋
１０９ａ  切片
１０９ｂ  溝
１１０  電池室
１１１、１１２  電池
１１３、１１４  スプリング
１１５、１１６  電池切片
１２０  デジタルスチルカメラプロセッサ
１２１  ＳＤＲＡＭ
１２２  ＲＡＭ
１２３  内蔵メモリ
１２４  ＲＯＭ
１２５  ＣＣＤ
１２６  Ｆ／Ｅ−ＩＣ
１２７  ストロボ回路
１２８  マイク
１２９  マイクアンプ（マイクＡＭＰ）
１３０  音声記録回路
１３１  音声再生回路
１３２  オーディオＡＭＰ
１３３  スピーカー
１３４  ＡＣアダプター
１３５  電源回路
１３６  ＳＵＢ−ＣＰＵ
１３７  ＬＣＤドライバ
１３８  サブＬＣＤ
１３９  ＡＦＬＥＤ
１４０  ストロボＬＥＤ
１４１  操作ｋｅｙユニット
１４２  ブザー
１４３  ＵＳＢコネクタ
１４４  シリアルドライバ回路
１４５  ＲＳ−２３２Ｃコネクタ
１４６  ＬＣＤドライバ
１４７  ＬＣＤモニタ
１４８  ビデオＡＭＰ
１４９  ビデオジャック
１５０  メモリカードスロット
１５１  メモリカード
【図１】
0004651965.tif 000002
【図２】
0004651965.tif 000003
【図３】
0004651965.tif 000004
【図４】
0004651965.tif 000005
【図５】
0004651965.tif 000006
【図６】
0004651965.tif 000007